(57)【特許請求の範囲】
【請求項１】
スチーム発生器から発生するスチームのフォーミング現象を検知するフォーミング現象検知装置において、スチーム導入口とスチーム導出口の間に、フォーミング現象によって発生した泡によって移動する移動部材を配設したチャンバーを形成し、フォーミング現象によって発生した泡によって移動部材がチャンバー内を移動してスチーム導出口を閉鎖するようにしたことを特徴とするフォーミング現象検知装置。
【請求項２】
移動部材の移動を検知するセンサを設け、該センサの出力信号によって、スチーム発生器への通電を制御するようにしたことを特徴とする請求項１記載のフォーミング現象検知装置。
【請求項３】
スチーム導入口とチャンバーの断面積の比を、１：５以上に設定したことを特徴とする請求項２又は３記載のフォーミング現象検知装置。
【請求項４】
移動部材がスチーム導出口を閉鎖するようにした状態で、小面積の未閉鎖部を残すようにしたことを特徴とする請求項１、２又は３記載のフォーミング現象検知装置。
【請求項５】
移動部材を、揺動可能なフラップで構成したことを特徴とする請求項１、２、３又は４記載のフォーミング現象検知装置。
【請求項６】
水を加熱してスチームを発生するようにしたスチーム発生器と、スチームを噴出するようにしたノズルとの間に、スチームのフォーミング現象を検知するフォーミング現象検知装置を配設し、該フォーミング現象検知装置によってフォーミング現象を検知することにより、ノズルへのスチームの供給を停止するようにした理美容用スチーム噴射装置において、フォーミング現象検知装置に請求項１、２、３、４又は５記載のフォーミング現象検知装置を用いたことを特徴とする理美容用スチーム噴射装置。
【請求項７】
フォーミング現象検知装置によってフォーミング現象を検知することにより、スチーム発生器への通電を制御するようにしたことを特徴とする請求項６記載の理美容用スチーム噴射装置。
【請求項８】
スチーム発生器を、開閉可能な上蓋を備えた本体上内部に、加熱器を備えたスチーム発生釜を配設して構成したことを特徴とする請求項６又は７記載の理美容用スチーム噴射装置。
【請求項９】
ノズルへのスチームの供給路の途中に、ドレン水を水供給部に還流させるドレン水還流路を形成するとともに、ドレン水還流路にスチームの供給路の蒸気圧以上の水頭圧がかかるようにしたことを特徴とする請求項６、７又は８記載の理美容用スチーム噴射装置。
【発明の詳細な説明】
【０００１】
【発明の属する技術分野】
本発明は、フォーミング現象検知装置及びこのフォーミング現象検知装置を用いた理美容用スチーム噴射装置に関し、特に、理容用又は美容用として顔面に噴射するスチーム（蒸気）を円滑に発生するとともに、噴射スチーム中に湯玉が混合して噴出するのを未然に防止するようにしたフォーミング現象検知装置及びこのフォーミング現象検知装置を用いた理美容用スチーム噴射装置に関するものである。
【０００２】
【従来の技術】
一般に適温なるスチームは、その温度効果と湿潤との相乗効果にて、肌の発汗作用と血行作用を促進させ、肌に水分を与えて毛穴の汚れを落し、皮膚を滑らかにする作用がある。
このため美容にあっては、顔面等の皮膚に、９０℃前後のスチームを顔面より２０〜４０ｃｍ離れて直接噴霧するようにし、一方、理容用にあっては、主として顔面の口部付近に直接噴霧し、髭剃用として使用されている。
そして、この使用目的に合わせて、従来の理美容用スチーム噴射装置は、加熱手段を備えたスチーム発生器と、これに接続されるスチーム導出管及び該管先端に突設したノズルとよりなり、スチーム発生器で発生させたスチームをスチーム導出管を経てノズルよりスチームを噴射するように構成されている。
【０００３】
【発明が解決しようとする課題】
ところで、上記従来の理美容用スチーム噴射装置においては、スチーム導出管を経てノズルから憤射されるスチームには、時として湯玉が含まれることがあり、８０〜９０℃の湯玉が直接顔面等にあたると火傷を起す危険があった。
このスチーム中に湯玉が含まれるようになる原因としてフォーミング現象（泡の発生）が挙げられる。
なお、理美容用スチーム噴射装置に純水を用いると、上記フォーミング現象の発生は少なくなるが、水道水等を繰り返して使用すると、タンク内の水に含有される不純物濃度が高まってスチーム発生器の水面に泡が発生し、これが増加して、スチーム発生器内全体に広がるフォーミング現象が現われることがしばしばあり、この泡蒸気がスチーム導出管内を経てノズルより噴出（キャリオーバ）するという問題があった。
【０００４】
さらに、従来のスチーム発生器は、容器内にシーズヒータを配設し、このシーズヒータを導入する水と直接接触するように構成しているため、使用により水に含有する不純物が付着固化してスケールとなり、このスケールが付着した状態で使用を続けるとシーズヒータが過熱、破損するため、定期的な清掃が必要となる。しかし、この付着スケールの除去は、清浄剤などを用いただけでは除去できず、定期的に理美容用スチーム噴射装置を分解して、物理的な方法で除去しなければならず、このスチーム発生器の清掃、メンテナンスに多大な手数を要するという問題があった。
【０００５】
本発明は、上記従来の理美容用スチーム噴射装置の有する問題点に鑑み、フォーミング現象（泡の発生）によるノズルからの泡蒸気の噴出（キャリオーバ）を防止し、かつ長期間に亘って安全に使用することができるフォーミング現象検知装置及びこのフォーミング現象検知装置を用いた理美容用スチーム噴射装置を提供することを目的とする。
【０００６】
【課題を解決するための手段】
上記目的を達成するため、本発明のフォーミング現象検知装置は、スチーム発生器から発生するスチームのフォーミング現象を検知するフォーミング現象検知装置において、スチーム導入口とスチーム導出口の間に、フォーミング現象によって発生した泡によって移動する移動部材を配設したチャンバーを形成し、フォーミング現象によって発生した泡によって移動部材がチャンバー内を移動してスチーム導出口を閉鎖するようにしたことを特徴とする。
【０００７】
このフォーミング現象検知装置は、スチーム導入口とスチーム導出口の間に、フォーミング現象によって発生した泡によって移動する移動部材を配設したチャンバーを形成し、フォーミング現象によって発生した泡によって移動部材がチャンバー内を移動してスチーム導出口を閉鎖するようにしているので、フォーミング現象によって発生した泡蒸気がスチーム導出口から噴出（キャリオーバ）することを確実に防止することができる。
【０００８】
この場合において、移動部材の移動を検知するセンサを設け、該センサの出力信号によって、スチーム発生器への通電を制御するようにすることができる。
【０００９】
これにより、フォーミング現象検知装置より上流側の機器の蒸気圧の異常上昇を防止することができる。
【００１０】
また、スチーム導入口とチャンバーの断面積の比を、１：５以上に設定することができる。
【００１１】
これにより、フォーミング現象検知装置のチャンバーにおいて気液分離を行うことができ、泡蒸気や湯玉がスチーム導出口から噴出（キャリオーバ）することを確実に防止することができる。
【００１２】
また、移動部材がスチーム導出口を閉鎖するようにした状態で、小面積の未閉鎖部を残すようにすることができる。
【００１３】
これにより、フォーミング現象検知装置より上流側の機器の蒸気圧の異常上昇を防止することができる。
【００１４】
また、移動部材を、揺動可能なフラップで構成することができる。
【００１５】
これにより、構造が簡易で、応答性の良好なフォーミング現象検知装置を得ることができる。
【００１６】
また、上記本発明のフォーミング現象検知装置を用いる理美容用スチーム噴射装置は、水を加熱してスチームを発生するようにしたスチーム発生器と、スチームを噴出するようにしたノズルとの間に、スチームのフォーミング現象を検知するフォーミング現象検知装置を配設し、該フォーミング現象検知装置によってフォーミング現象を検知することにより、ノズルへのスチームの供給を停止するようにしたことを特徴とする。
【００１７】
この理美容用スチーム噴射装置は、スチーム発生器とノズルとの間にフォーミング現象検知装置を配設することにより、スチーム発生器にて発生するスチームのフォーミング現象を、ノズルに至る途中にて検知し、ノズルへのスチームの供給を停止するようにしているから、泡蒸気がスチーム導出管内を経てノズルより噴出（キャリオーバ）することを確実に防止することができる。
【００１８】
この場合において、フォーミング現象検知装置によってフォーミング現象を検知することにより、スチーム発生器への通電を制御するようにすることができる。
【００１９】
これにより、スチーム発生器やノズルへのスチームの供給路の蒸気圧の異常上昇を防止し、より安全な理美容用スチーム噴射装置を得ることができる。
【００２０】
また、スチーム発生器を、開閉可能な上蓋を備えた本体上内部に、加熱器を備えたスチーム発生釜を配設して構成することができる。
【００２１】
これにより、スチーム発生釜の清掃を簡易に行うことができ、フォーミング現象の発生を抑制することができ、高価なイオン交換樹脂による水質改善を行わなくても、通常の水道水を使用することができ、理美容用スチーム噴射装置のランニングコストを低減することができる。
また、スチーム発生釜内の微生物の増殖を抑制し、匂い等の発生を防止できるので、被施術者に不快感を与えることなく、理美容用スチーム噴射装置を衛生的に使用することができる。
【００２２】
また、ノズルへのスチームの供給路の途中に、ドレン水を水供給部に還流させるドレン水還流路を形成するとともに、ドレン水還流路にスチームの供給路の蒸気圧以上の水頭圧がかかるようにすることができる。
【００２３】
これにより、簡易な機構により、ドレン水を水供給部に還流させることができるとともに、スチームの供給路からドレン水還流路にスチームが逃げることを防止することができる。
【００２４】
【発明の実施の形態】
以下、本発明のフォーミング現象検知装置及びこのフォーミング現象検知装置を用いた理美容用スチーム噴射装置の実施の形態を図面に基づいて説明する。
【００２５】
図１〜図７に、本発明の理美容用スチーム噴射装置の一実施例を示す。
この理美容用スチーム噴射装置は、本体１の下部に配設する脚１Ｂにはキャスター１Ｃを備え、移動可能とし、これにより美顔施術を容易に行えるようにしている。
本体１内には、本体１上部側面に配設した給水口Ｗ１より給水可能とした給水タンクＴから給水ポンプＰを経て給水され、スチームを発生するようにしたスチーム発生器２を配設し、このスチーム発生器２よりスチーム導出管６を経て、本体１上部に、傾動及び旋回可能に配設したヘッドアーム３を介して、その先端に配設したヘッド４のノズルＮからスチームを噴出するように構成する。
なお、Ｗ２は、メンテナンス時等において、給水タンクＴ、給水ポンプＰ等から排水するための排水口である。
また、タンクＴは、固定式のほか、図１２に示す変形実施例のように着脱式とすることもできる。
【００２６】
給水ポンプＰから給水管２Ｐを経て給水されるようにしたスチーム発生器２は、図３及び図４に示すように、本体１内の上部に配設され、本体１の上部の上蓋Ｋを開放或いは外すことにより容易に取り出せるようにした釜又は鍋状をしたスチーム発生釜２１と、本体１側に固定され、スチーム発生釜２１を加熱できるように配設した加熱器２２とより構成する。
より詳しくは、スチーム発生釜２１は、本体内上部に配設し、スチーム発生釜２１を嵌合可能とした釜受け２３内に着脱可能に嵌挿するようにし、かつ該釜受け２３にはドレンパイプ（図示省略）を接続したドレン受け２３Ｄを一体に形成するとともに、このドレン受け２３Ｄ内を貫通し、釜受け２３の内底面に開口するようにして給水ポンプＰに接続される給水管２Ｐの先端を配設する。
これにより、図３に示すように、釜受け２３内にスチーム発生釜２１を嵌合することによって、スチーム発生釜２１の底面に穿孔した給水口と給水管２Ｐの先端とが接続され、スチーム発生釜２１内に、所定水位まで逐次給水可能となる。
なお、給水管２Ｐを貫通するドレン受け２３Ｄ、ドレン受け２３Ｄ内に嵌合するスチーム発生釜２１との接続は、水漏れなどが生じないように構成するものとする。
【００２７】
また、この釜受け２３の底面部或いは外周部に、加熱器２２を配設する。
この加熱器２２は、本実施例ではＩＨヒータを用いているが、これは特に限定されるものではなく、シーズヒータ、その他のヒータを採用することもできる。
【００２８】
また、本体１の上部に配設する上蓋Ｋは、本体１に対し、特に限定されるものではないが、蝶番などを介して開閉可能に装着するとともに、上蓋Ｋの内下面位置に、上蓋Ｋを閉じたとき、上面を開口するスチーム発生釜２１の開口面を、パッキンなどにより気密的に閉鎖するようにした押さえ蓋２４を配設する。
【００２９】
ところで、この実施例においては、スチーム発生釜２１を釜受け２３内に着脱可能に嵌挿するように構成したが、これに限定されず、例えば、図８〜図９に示す変形実施例のように、スチーム発生釜２１を固定して配設することもできる。
【００３０】
そして、スチーム発生釜２１が、着脱式、固定式のいずれの場合でも、開閉可能な上蓋Ｋを備えることにより、スチーム発生釜２１の清掃を簡易に行うことができ、フォーミング現象の発生を抑制することができるとともに、スチーム発生釜内の微生物の増殖を抑制し、匂い等の発生を防止できる。
【００３１】
また、本体１内には、泡立ち現象を検知し、かつ抑制するようにしたフォーミング現象検知装置５を配設する。このフォーミング現象検知装置５は密閉されたチャンバー５０内には、スチーム発生釜２１内で発生したスチームを、フォーミング現象検知装置５のチャンバー５０内へ導くようにスチームホース２５を接続する。
このスチームホース２５の一端は、図３及び図４に示すように、押さえ蓋２４に取り付けられ、他端をフォーミング現象検知装置５に取り付け、これによりスチーム発生釜２１内にて発生したスチームをフォーミング現象検知装置５のチャンバー５０内へ導くようにする。なお、このスチームホース２５は、上蓋Ｋの開閉に追従するように可撓性のものが望ましい。
【００３２】
フォーミング現象検知装置５は、図５に示すように、チャンバー５０に、フラップ５２を下面に揺動可能に支持した蓋５１を気密的に取り付けるとともに、このフラップ５２にはセンサ５３、特に限定されるものではないが、例えば、磁性体を取り付け、かつフラップ５２が揺動したとき、このフラップ５２の揺動を、フラップ５２側に取り付けた磁石等のセンサ５３が近接したことを検知するようにした検知器５４、例えば、ホールセンサ等の磁力センサを、蓋５１側に取り付けて構成する。
また、この蓋５１には、スチームホース２５を接続するためのスチーム導入口５５と、スチーム導出管６を接続するためのスチーム導出口５６とを形成する。このスチーム導出口５６の蓋５１に開口する位置は、フラップ５２が揺動したとき、このフラップ５２にてスチーム導出口５６の開口が閉鎖するような位置とする。
【００３３】
この場合、フラップ５２によるスチーム導出口５６の開口面の閉鎖は、完全に行わず、小面積の未閉鎖部Ｇを残すようにし、これによりチャンバー５０内にフォーミング現象が発生しても、チャンバー５０の内圧が異常に上昇するのを防止するようにする。
【００３４】
また、フォーミング現象検知装置５のスチーム導入口５５とチャンバー５０の断面積の比を、１：５以上、好ましくは、１：８以上、さらに好ましくは、１：１０以上に設定することにより、フォーミング現象検知装置５のチャンバー５０において気液分離を行うことができ、泡蒸気や湯玉がスチーム導出口５６から噴出（キャリオーバ）することを確実に防止することができる。
【００３５】
また、チャンバー５０には、ドレン口５０Ｄと、水位タンクＳのオーバフロー水導入口５０Ｓとを形成し、チャンバー５０内にてスチームが結露した結露水、或いはフォーミング現象によるフォーミング（泡）、さらには水位タンクＳのオーバフロー水を、このドレン口５０Ｄより排出するようにする。
【００３６】
ところで、フォーミング現象検知装置５のスチーム導入口５５、スチーム導出口５６、オーバフロー水導入口５０Ｓの形成位置は、本実施例のものに限定されず、例えば、図１０に示す変形実施例のように、オーバフロー水導入口５０Ｓを蓋５１に開口するように形成することもできる。
【００３７】
また、フォーミング現象検知装置５のスチーム導出口５６を閉鎖する移動部材も、本実施例のフラップ５２に限定されず、フラップ５２に代えて、図１０に示す変形実施例のように、フォーミング現象によって発生した泡によってチャンバー５０内を移動するボール５２を用いることもできる。
なお、この場合も、ボール５２の移動を検知するセンサ（図示省略）を設け、このセンサの出力信号によって、スチーム発生器の加熱器への通電を制御するようにすることにより、フォーミング現象検知装置５より上流側の機器の蒸気圧の異常上昇を防止することができる。
【００３８】
給水回路は、特に限定されるものではないが、例えば、図６に示すように、給水タンクＴに接続され、貯水された水を給水ポンプＰを駆動することにより給水管２Ｐを経てスチーム発生器２のスチーム発生釜２１内に供給するようにし、また、この吸水量は常にスチームを発生し易いように一定となるようスチーム発生器２に隣接して水位センサＣを備えた水位タンクＳを配設し、さらにスチーム発生器２内にて発生したスチームを、スチームホース２５を経てフォーミング現象検知装置５へ導き、フォーミング現象検知装置５内にてフォーミング（泡）によるキャリオーバ現象を防止し、スチームのみをスチーム導出管６を経てヘッドアーム先端のノズルより噴射するように構成する。
そして、スチーム発生釜２１内に水位が、設定水位の範囲となるように、水位タンクＳの水位センサＣに基づいて給水ポンプＰを駆動して設定水位まで連続的又は間欠的に給水するようにする。
【００３９】
また、水位タンクＳには、オーバフロー管Ｆを配設し、このオーバフロー管Ｆを、フォーミング現象検知装置５に形成した水位タンクＳのオーバフロー水導入口５０Ｓに接続するようにする。
これにより、水位タンクＳのオーバフロー水を、スチームのドレン水と共に、フォーミング現象検知装置５に形成したドレン口５０Ｄからドレン水還流路Ｄを介して、給水ポンプＰ側に水を還流させるようにする。
【００４０】
この場合、図１２に示す変形実施例のように、ドレン水還流路Ｄにスチームの供給路、具体的には、ドレン水還流路Ｄが接続されるフォーミング現象検知装置５のチャンバー５０の蒸気圧以上の水頭圧Ｈがかかるようにすることが望ましい。
これにより、簡易な機構により、スチームの供給路からドレン水還流路Ｄにスチームが逃げることを防止することができる。
【００４１】
また、上記実施例においては、フォーミング現象検知装置５を、スチーム発生器２よりも下方に設置するようにしたが、これに限定されず、図１３に示す変形実施例のように、フォーミング現象検知装置５を、スチーム発生器２よりも上方に設置することもできる。
【００４２】
次に、本発明の理美容用スチーム噴射装置の作用について説明する。
美顔施術をする場合、図７に示すように、椅子に理美容用スチーム噴射装置を隣接配置する。そして、給水ポンプＰよりスチーム発生釜２１内に給水された水は、加熱器２２にて加熱され、スチームが発生すると、このスチームはスチームホース２５を経てフォーミング現象検知装置５のチャンバー５０内に導かれる。このとき、チャンバー５０内に導入されるスチームに、フォーミング現象が発生しない場合は、フラップ５２はその自重により、図５に示すように、ほぼ垂直状態で保持され、スチームはスチームホース２５からチャンバー５０内を経てスチーム導出管６よりチャンバー５０外へ排出され、スチーム導出管６の先端のノズルＮより噴射される。
【００４３】
このチャンバー５０内に導かれたスチームに、チャンバー５０内でフォーミング現象が発生すると、このスチーム圧にてチャンバー５０内のフォーミング（泡）が、スチーム導入口５５側からスチーム導出口５６側へ押されて移動するようになる。このとき、垂直状態で保持されているフラップ５２はこのフォーミング（泡）の移動圧により押されて揺動するようになる。
これにより、図５の二点鎖線で示すように、フラップ５２にてスチーム導出口５６が閉鎖されるとともに、このフラップ５２に付設されたセンサ５３がホールセンサ５４にて検知されると、このホールセンサ５４に接続された電気回路を遮断し、加熱器２２への通電を停止し、スチームの発生を停止するようにする。
【００４４】
また、発生したフォーミング（泡）は、ドレン口５０Ｄよりチャンバー５０外へ排出されるものである。
なお、チャンバー５０内で発生したフォーミング（泡）を排出した後、安全温度まで低下すれば、図４に示すように、上蓋Ｋを開いてスチーム発生釜２１を釜受け２３より取り外して清掃することができる。
【００４５】
本体１の上側部に、傾動及び旋回可能に配設したヘッドアーム３内に、前記スチーム導出管６を配管し 、ヘッドアーム３の先端に配設したヘッド４に接続し、このノズルＮからスチームを噴出するようにする。
【００４６】
以上、本発明のフォーミング現象検知装置及びこのフォーミング現象検知装置を用いた理美容用スチーム噴射装置について、その実施例に基づいて説明したが、本発明は上記実施例に記載した構成に限定されるものではなく、その趣旨を逸脱しない範囲において適宜その構成を変更することができるものであり、また、本発明のフォーミング現象検知装置は、理美容用スチーム噴射装置のほか、各種のスチーム噴射装置に適用可能なものであり、これを排除しないものである。
【００４７】
【発明の効果】
本発明のフォーミング現象検知装置によれば、スチーム導入口とスチーム導出口の間に、フォーミング現象によって発生した泡によって移動する移動部材を配設したチャンバーを形成し、フォーミング現象によって発生した泡によって移動部材がチャンバー内を移動してスチーム導出口を閉鎖するようにしているので、フォーミング現象によって発生した泡蒸気がスチーム導出口から噴出（キャリオーバ）することを確実に防止することができるので、このフォーミング現象検知装置を取り付けることによって、安全なスチーム噴射装置を得ることができる。
【００４８】
また、移動部材の移動を検知するセンサを設け、該センサの出力信号によって、スチーム発生器への通電を制御するようにすることにより、フォーミング現象検知装置より上流側の機器の蒸気圧の異常上昇を防止することができる。
【００４９】
また、スチーム導入口とチャンバーの断面積の比を、１：５以上に設定することにより、フォーミング現象検知装置のチャンバーにおいて気液分離を行うことができ、泡蒸気や湯玉がスチーム導出口から噴出（キャリオーバ）することを確実に防止することができる。
【００５０】
また、移動部材がスチーム導出口を閉鎖するようにした状態で、小面積の未閉鎖部を残すようにすることにより、フォーミング現象検知装置より上流側の機器の蒸気圧の異常上昇を防止することができる。
【００５１】
また、移動部材を、揺動可能なフラップで構成することにより、構造が簡易で、応答性の良好なフォーミング現象検知装置を得ることができる。
【００５２】
また、本発明の理美容用スチーム噴射装置によれば、スチーム発生器とノズルとの間にフォーミング現象検知装置を配設することにより、スチーム発生器にて発生するスチームのフォーミング現象を、ノズルに至る途中にて検知し、ノズルへのスチームの供給を停止するようにしているから、泡蒸気がスチーム導出管内を経てノズルより噴出（キャリオーバ）することを確実に防止することができるので、スチームによる美顔施術等を安全に行うことができる。
【００５３】
また、フォーミング現象検知装置によってフォーミング現象を検知することにより、スチーム発生器への通電を制御するようにすることにより、スチーム発生器やノズルへのスチームの供給路の蒸気圧の異常上昇を防止し、より安全な理美容用スチーム噴射装置を得ることができる。
【００５４】
また、スチーム発生器を、開閉可能な上蓋を備えた本体上内部に、加熱器を備えたスチーム発生釜を配設して構成することにより、スチーム発生釜の清掃を簡易に行うことができ、フォーミング現象の発生を抑制することができ、高価なイオン交換樹脂による水質改善を行わなくても、通常の水道水を使用することができ、理美容用スチーム噴射装置のランニングコストを低減することができる。
また、スチーム発生釜内の微生物の増殖を抑制し、匂い等の発生を防止できるので、被施術者に不快感を与えることなく、理美容用スチーム噴射装置を衛生的に使用することができる。
【００５５】
また、ノズルへのスチームの供給路の途中に、ドレン水を水供給部に還流させるドレン水還流路を形成するとともに、ドレン水還流路にスチームの供給路の蒸気圧以上の水頭圧がかかるようにすることにより、簡易な機構により、ドレン水を水供給部に還流させることができるとともに、スチームの供給路からドレン水還流路にスチームが逃げることを防止することができる。
【図面の簡単な説明】
【図１】  本発明の理美容用スチーム噴射装置の一実施例を示す側面図である。
【図２】  同正面図である。
【図３】  スチーム発生器を示し、（Ａ）は正面図、（Ｂ）は側面断面図である。
【図４】  スチーム発生器の上蓋を開いた状態を示す断面図である。
【図５】  本発明のフォーミング現象検知装置の一実施例を示す断面図である。
【図６】  給水回路を示す説明図である。
【図７】  本発明の理美容用スチーム噴射装置の施術方法を示す説明図である。
【図８】  本発明の理美容用スチーム噴射装置の変形実施例を示す側面図である。
【図９】  スチーム発生器の断面図である。
【図１０】  本発明のフォーミング現象検知装置の変形実施例を示し、（Ａ）は平面図、（Ｂ）は正面断面図、（Ｃ）は側面断面図である。
【図１１】  本発明のフォーミング現象検知装置の変形実施例を示す断面図である。
【図１２】  給水回路を示す説明図である。
【図１３】  給水回路を示す説明図である。
【符号の説明】
１    本体
２    スチーム発生器
２Ｐ  給水管
２１  スチーム発生釜
２２  加熱器
２３  釜受け
３    ヘッドアーム
４    ヘッド
５    フォーミング現象検知装置
５０  チャンバー
５１  蓋
５２  移動部材（フラップ、ボール）
５３  センサ
５４  検知器
５５  スチーム導入口
５６  スチーム導出口
６    スチーム導出管
Ｄ    ドレン水還流路
Ｇ    未閉鎖部
Ｋ    上蓋
Ｎ    ノズル
Ｐ    給水ポンプ
【図１】
0003723789.tif 000002
【図２】
0003723789.tif 000003
【図３】
0003723789.tif 000004
【図４】
0003723789.tif 000005
【図５】
0003723789.tif 000006
【図６】
0003723789.tif 000007
【図７】
0003723789.tif 000008
【図８】
0003723789.tif 000009
【図９】
0003723789.tif 000010
【図１０】
0003723789.tif 000011
【図１１】
0003723789.tif 000012
【図１２】
0003723789.tif 000013
【図１３】
0003723789.tif 000014